【手続補正書】
【提出日】平成16年10月19日(2004.10.19)
【手続補正１】
【補正対象書類名】明細書
【補正対象項目名】発明の名称
【補正方法】変更
【補正の内容】
【発明の名称】データ配信システム、データ配信装置、端末装置、データ通信方法及びデータ配信方法
【手続補正２】
【補正対象書類名】明細書
【補正対象項目名】特許請求の範囲
【補正方法】変更
【補正の内容】
【特許請求の範囲】
【請求項１】
圧縮されたデータを配信するデータ配信装置と、
上記データ配信装置に対して所望の圧縮データの要求指示を行う選択手段と、上記選択手段にて選択された所望の圧縮データに対応する要求信号を送信する送信手段と、上記データ配信装置から送信されてくる所望の圧縮データを受信する受信手段とを有する端末装置とを備えたデータ配信システムにおいて、
上記端末装置から送信されてくる要求信号に応じてデータ配信装置から送信される圧縮データの伝送容量を可変させる伝送容量可変手段を備えることを特徴とするデータ配信システム。
【請求項２】
上記伝送容量可変手段は、データ圧縮率を可変することにより、上記圧縮データの伝送容量を可変させることを特徴とする請求項１記載のデータ配信システム。
【請求項３】
上記伝送容量可変手段は、伝送するチャンネル数を可変することにより、上記圧縮データの伝送容量を可変させることを特徴とする請求項１記載のデータ配信システム。
【請求項４】
上記端末装置から送信される要求信号は、所望の圧縮データに対応するジャンルを示すことを特徴とする請求項１記載のデータ配信システム。
【請求項５】
上記端末装置から送信される要求信号は、所望の圧縮データに対応するコンテンツ名を示すことを特徴とする請求項１記載のデータ配信システム。
【請求項６】
上記端末装置は、上記データ配信装置から送信される圧縮データの伝送容量を可変制御する操作手段を更に備えることを特徴とする請求項１記載のデータ配信システム。
【請求項７】
上記端末装置から送信される要求信号は、上記操作手段にて可変制御された伝送容量に関連する情報を示すことを特徴とする請求項６記載のデータ配信システム。
【請求項８】
上記操作手段は、データ圧縮率により上記圧縮データの伝送容量を可変制御することを特徴とする請求項６記載のデータ配信システム。
【請求項９】
上記操作手段は、転送時間により上記圧縮データの伝送容量を可変制御することを特徴とする請求項６記載のデータ配信システム。
【請求項１０】
複数のデータを蓄積する記憶手段と、
離間した場所に設置させた端末装置からのリクエストに応じて上記記憶手段から所望のデータを検索し選択するデータ検索処理手段と、
上記データ検索処理手段にて選択された所望のデータを送信する送信手段と、
上記送信するデータの種別に応じて上記送信手段から送信されるデータの伝送量を制御する制御手段と
を備えて成ることを特徴とするデータ配信装置。
【請求項１１】
更に上記データ検索処理手段にて選択された所望のデータに対して所定の圧縮処理を施す圧縮処理手段を備え、上記制御手段は上記送信するデータの種別に応じて上記圧縮処理手段の圧縮率を可変制御することを特徴とする請求項１０記載のデータ配信装置。
【請求項１２】
上記制御手段は上記送信するデータの種別に応じて伝送するチャンネル数を制御することを特徴とする請求項１０記載のデータ配信装置。
【請求項１３】
上記記憶手段に記憶されている複数のデータは同一コンテンツに対して圧縮率の異なる少なくとも２つ以上の圧縮データを蓄積し、上記制御手段は上記送信するデータの種別に応じて上記記憶手段内の圧縮率の異なる少なくとも２つ以上の圧縮データから１つを選択することを特徴とする請求項１０記載のデータ配信装置。
【請求項１４】
データの種別に応じて伝送容量を決定するテーブルを記憶する記憶手段を更に備えることを特徴とする請求項１０記載のデータ配信装置。
【請求項１５】
上記データの種別はジャンルであることを特徴とする請求項１０記載のデータ配信装置。
【請求項１６】
要求指示に応じて情報センターから所定の圧縮率で伝送される圧縮データを受信する端末装置であって、
上記情報センターに対して所望の圧縮データの要求指示を行う選択手段と、
上記選択手段にて選択された所望の圧縮データに対応する要求信号を送信する送信手段と、
上記情報センターから送信されてくる所望の圧縮データを受信する受信手段と、
上記受信手段にて受信した圧縮データを上記情報センターでの圧縮方式に対応した形式で伸張処理する伸張処理手段とを備えて成ることを特徴とする端末装置。
【請求項１７】
上記情報センターから送信される圧縮データの圧縮率を設定する操作手段を更に備え、上記送信手段は上記操作手段にて設定された圧縮率に応じた圧縮データの要求信号を上記情報センターに送信することを特徴とする請求項１６記載の端末装置。
【請求項１８】
上記情報センターから送信される圧縮データの転送時間を設定する操作手段を更に備え、上記送信手段は上記操作手段にて設定された転送時間に応じた圧縮データの要求信号を上記情報センターに送信することを特徴とする請求項１６記載の端末装置。
【請求項１９】
上記情報センターから送信される圧縮データのジャンルを設定する操作手段を更に備え、上記送信手段は上記操作手段にて設定されたジャンルに応じた圧縮データの要求信号を上記情報センターに送信することを特徴とする請求項１６記載の端末装置。
【請求項２０】
上記受信手段にて受信した圧縮データを蓄積する記憶する記憶手段を更に備えることを特徴とする請求項１６記載の端末装置。
【請求項２１】
上記操作手段にて設定されたジャンルに応じた圧縮率を決定するテーブルを記憶する記憶手段を更に備えることを特徴とする請求項１９記載の端末装置。
【請求項２２】
離間した場所に設置させた端末装置からのリクエストに応じて複数のデータを蓄積する記憶手段から所望のデータを検索し選択するデータ検索処理工程と、
上記選択された所望のデータを送信する送信工程と、
上記送信されるデータの種別に応じて、当該送信されるデータの伝送量を制御する制御工程と
を有することを特徴とするデータ配信方法
【請求項２３】
要求指示に応じて情報センターから所定の圧縮率で伝送される圧縮データを受信するデータ通信方法において、
上記情報センターに対して所望の圧縮データの要求指示を行う選択工程と、
上記要求指示された所望の圧縮データに対応する要求信号を送信する送信工程と、
上記情報センターから送信されてくる所望の圧縮データを受信する受信工程と、
上記受信された圧縮データを上記情報センターでの圧縮方式に対応した形式で伸長処理する伸長処理工程と
を有することを特徴とするデータ通信方法。
【請求項２４】
情報センターと端末装置間で圧縮データの伝送を行うデータ配信方法であって、
上記情報センターに対して所望の圧縮データの要求指示を行う選択工程と、
上記選択された所望の圧縮データに対応する要求信号を上記情報センターに対して送信する送信工程と、
端末装置側から送信されてくる上記要求信号に応じて上記情報センターから送信される圧縮データの伝送容量を可変させる転送容量可変工程と、
上記情報センターから送信されてくる伝送容量が可変された所望の圧縮データを上記端末装置側にて受信する受信工程と
を有することを特徴とするデータ配信方法。
【手続補正３】
【補正対象書類名】明細書
【補正対象項目名】０００１
【補正方法】変更
【補正の内容】
【０００１】
【発明の属する技術分野】
本発明は、データ配信システム、データ配信装置、端末装置、データ通信方法及びデータ配信方法に関し、例えばデジタルデータの配信を行うデータサービスシステム等に好適に用いられる。
【手続補正４】
【補正対象書類名】明細書
【補正対象項目名】０００７
【補正方法】変更
【補正の内容】
【０００７】
本発明は、上述の実情を鑑みて提案されたものであり、ユーザ側の要求に応じて送信側から受信側に転送されるデータの品質を選択できるデータ配信システム、データ配信装置、端末装置、データ通信方法及びデータ配信方法を提供することを目的とする。
【手続補正５】
【補正対象書類名】明細書
【補正対象項目名】０００８
【補正方法】変更
【補正の内容】
【０００８】
また、本発明は、上述の実情を鑑みて提案されたものであり、データの転送方式や転送時間についてユーザの要求が反映されたデータ配信システム等を提供することを目的とする。
【手続補正６】
【補正対象書類名】明細書
【補正対象項目名】０００９
【補正方法】変更
【補正の内容】
【０００９】
【課題を解決するための手段】
本発明は、上記課題を解決するため、圧縮されたデータを配信するデータ配信装置と、上記データ配信装置に対して所望の圧縮データの要求指示を行う選択手段と、上記選択手段にて選択された所望の圧縮データに対応する要求信号を送信する送信手段と、上記データ配信装置から送信されてくる所望の圧縮データを受信する受信手段と端末装置とを備えたデータ配信システムにおいて、上記端末装置から送信されてくる要求信号に応じてデータ配信装置から送信される圧縮データの伝送容量を可変させる伝送容量可変手段を備えることを特徴とする。
【手続補正７】
【補正対象書類名】明細書
【補正対象項目名】００１０
【補正方法】変更
【補正の内容】
【００１０】
本発明に係るデータ配信システムにおいて、上記伝送容量可変手段は、データ圧縮率を可変することにより、上記圧縮データの伝送容量を可変させる。また、上記伝送容量可変手段は、伝送するチャンネル数を可変することにより、上記圧縮データの伝送容量を可変させる。
【手続補正８】
【補正対象書類名】明細書
【補正対象項目名】００１１
【補正方法】変更
【補正の内容】
【００１１】
本発明に係るデータ配信システムにおいて、上記端末装置から送信される要求信号は、所望の圧縮データに対応するジャンルを示す。また、本発明に係るデータ配信システムにおいて、上記端末装置から送信される要求信号は、所望の圧縮データに対応するコンテンツ名を示す。
【手続補正９】
【補正対象書類名】明細書
【補正対象項目名】００１２
【補正方法】変更
【補正の内容】
【００１２】
本発明に係るデータ配信システムにおいて、上記端末装置は、上記データ配信装置から送信される圧縮データの伝送容量を可変制御する操作手段を更に備える。
【手続補正１０】
【補正対象書類名】明細書
【補正対象項目名】００１３
【補正方法】変更
【補正の内容】
【００１３】
本発明に係るデータ配信システムにおいて、上記端末装置から送信される要求信号は、上記操作手段にて可変制御された伝送容量に関連する情報を示す。
【手続補正１１】
【補正対象書類名】明細書
【補正対象項目名】００１４
【補正方法】変更
【補正の内容】
【００１４】
また、本発明に係るデータ配信システムにおいて、上記操作手段は、データ圧縮率により上記圧縮データの伝送容量を可変制御する。さらに、本発明に係るデータ配信システムにおいて、上記操作手段は、転送時間により上記圧縮データの伝送容量を可変制御する。
【手続補正１２】
【補正対象書類名】明細書
【補正対象項目名】００１５
【補正方法】変更
【補正の内容】
【００１５】
本発明に係るデータ配信装置は、複数のデータを蓄積する記憶手段と、離間した場所に設置させた端末装置からのリクエストに応じて上記記憶手段から所望のデータを検索し選択するデータ検索処理手段と、上記データ検索処理手段にて選択された所望のデータを送信する送信手段と、上記送信するデータの種別に応じて上記送信手段から送信されるデータの伝送量を制御する制御手段とを備えて成ることを特徴とする。
【手続補正１３】
【補正対象書類名】明細書
【補正対象項目名】００１６
【補正方法】変更
【補正の内容】
【００１６】
本発明に係るデータ配信装置は、更に上記データ検索処理手段にて選択された所望のデータに対して所定の圧縮処理を施す圧縮処理手段を備え、上記制御手段は上記送信するデータの種別に応じて上記圧縮処理手段の圧縮率を可変制御する。
【手続補正１４】
【補正対象書類名】明細書
【補正対象項目名】００１７
【補正方法】変更
【補正の内容】
【００１７】
また、本発明に係るデータ配信装置において、上記制御手段は、例えば上記送信するデータの種別に応じて伝送するチャンネル数を制御する。
【手続補正１５】
【補正対象書類名】明細書
【補正対象項目名】００１８
【補正方法】変更
【補正の内容】
【００１８】
また、本発明に係るデータ配信装置では、上記記憶手段に記憶されている複数のデータは同一コンテンツに対して圧縮率の異なる少なくとも２つ以上の圧縮データを蓄積し、上記制御手段は上記送信するデータの種別に応じて上記記憶手段内の圧縮率の異なる少なくとも２つ以上の圧縮データから１つを選択する。
【手続補正１６】
【補正対象書類名】明細書
【補正対象項目名】００１９
【補正方法】変更
【補正の内容】
【００１９】
また、本発明に係るデータ配信装置は、データの種別に応じて伝送容量を決定するテーブルを記憶する記憶手段を更に備える。
さらに、本発明に係るデータ配信装置において、上記データの種別はジャンルである。
【手続補正１７】
【補正対象書類名】明細書
【補正対象項目名】００２０
【補正方法】変更
【補正の内容】
【００２０】
本発明は、要求指示に応じて情報センターから所定の圧縮率で伝送される圧縮データを受信する端末装置であって、上記情報センターに対して所望の圧縮データの要求指示を行う選択手段と、上記選択手段にて選択された所望の圧縮データに対応する要求信号を送信する送信手段と、上記情報センターから送信されてくる所望の圧縮データを受信する受信手段と、上記受信手段にて受信した圧縮データを上記情報センターでの圧縮方式に対応した形式で伸張処理する伸張処理手段とを備えて成ることを特徴とする。
【手続補正１８】
【補正対象書類名】明細書
【補正対象項目名】００２１
【補正方法】変更
【補正の内容】
【００２１】
本発明に係る端末装置は、上記情報センターから送信される圧縮データの圧縮率を設定する操作手段を更に備え、上記送信手段は上記操作手段にて設定された圧縮率に応じた圧縮データの要求信号を上記情報センターに送信する。
【手続補正１９】
【補正対象書類名】明細書
【補正対象項目名】００２２
【補正方法】変更
【補正の内容】
【００２２】
また、本発明に係る端末装置は、上記情報センターから送信される圧縮データの転送時間を設定する操作手段を更に備え、上記送信手段は上記操作手段にて設定された転送時間に応じた圧縮データの要求信号を上記情報センターに送信する  また、本発明に係る端末装置は、上記情報センターから送信される圧縮データのジャンルを設定する操作手段を更に備え、上記送信手段は上記操作手段にて設定されたジャンルに応じた圧縮データの要求信号を上記情報センターに送信する。
【手続補正２０】
【補正対象書類名】明細書
【補正対象項目名】００２３
【補正方法】変更
【補正の内容】
【００２３】
また、本発明に係る端末装置は、上記受信手段にて受信した圧縮データを蓄積する記憶する記憶手段を更に備える。さらに、本発明に係る端末装置は、上記操作手段にて設定されたジャンルに応じた圧縮率を決定するテーブルを記憶する記憶手段を更に備える。
【手続補正２１】
【補正対象書類名】明細書
【補正対象項目名】００２４
【補正方法】変更
【補正の内容】
【００２４】
本発明は、離間した場所に設置させた端末装置からのリクエストに応じて複数のデータを蓄積する記憶手段から所望のデータを検索し選択するデータ検索処理工程と、上記選択された所望のデータを送信する送信工程と、上記送信されるデータの種別に応じて、当該送信されるデータの伝送量を制御する制御工程とを有することを特徴とする
また、本発明は、要求指示に応じて情報センターから所定の圧縮率で伝送される圧縮データを受信するデータ通信方法において、上記情報センターに対して所望の圧縮データの要求指示を行う選択工程と、上記要求指示された所望の圧縮データに対応する要求信号を送信する送信工程と、上記情報センターから送信されてくる所望の圧縮データを受信する受信工程と、上記受信された圧縮データを上記情報センターでの圧縮方式に対応した形式で伸長処理する伸長処理工程とを有することを特徴とする
さらに、本発明は、情報センターと端末装置間で圧縮データの伝送を行うデータ配信方法であって、上記情報センターに対して所望の圧縮データの要求指示を行う選択工程と、上記選択された所望の圧縮データに対応する要求信号を上記情報センターに対して送信する送信工程と、端末装置側から送信されてくる上記要求信号に応じて上記情報センターから送信される圧縮データの伝送容量を可変させる転送容量可変工程と、上記情報センターから送信されてくる伝送容量が可変された所望の圧縮データを上記端末装置側にて受信する受信工程とを有することを特徴とする。
【手続補正２２】
【補正対象書類名】明細書
【補正対象項目名】００８７
【補正方法】変更
【補正の内容】
【００８７】
【発明の効果】
以上詳細に説明したように、本発明では、圧縮されたデータを配信するデータ配信装置と、上記データ配信装置に対して所望の圧縮データの要求指示を行う選択手段と、上記選択手段にて選択された所望の圧縮データに対応する要求信号を送信する送信手段と、上記データ配信装置から送信されてくる所望の圧縮データを受信する受信手段と端末装置とを備えたデータ配信システムにおいて、上記端末装置から送信されてくる要求信号に応じてデータ配信装置から送信される圧縮データの伝送容量可変手段により伝送容量を可変させるので、ユーザ側の要求に応じて送信側から受信側に転送されるデータの品質を選択することが可能となる。
【手続補正２３】
【補正対象書類名】明細書
【補正対象項目名】００８８
【補正方法】変更
【補正の内容】
【００８８】
また、本発明に係るデータ配信システムでは、上記端末装置から送信される要求信号が所望の圧縮データに対応するジャンルを示すことにより、ユーザ側の要求するデータをそのジャンルに基づいた所定の品質で配信することが可能となる。
【手続補正２４】
【補正対象書類名】明細書
【補正対象項目名】００８９
【補正方法】変更
【補正の内容】
【００８９】
さらに、本発明に係るデータ配信システムでは、転送時間により圧縮データの伝送容量を可変制御することによって、データ転送時間に関するユーザの要求が反映されたシステムを構築することが可能となる。
【手続補正２５】
【補正対象書類名】明細書
【補正対象項目名】００９０
【補正方法】変更
【補正の内容】
【００９０】
本発明に係るデータ配信装置では、離間した場所に設置させた端末装置からのリクエストに応じて記憶手段から所望のデータを検索し選択するとデータ検索処理手段にて選択された所望のデータを送信手段から送信するにあたり、上記送信するデータの種別に応じて上記送信手段から送信されるデータの伝送量を制御手段により制御するので、ユーザの要求に応じた品質のデータを配信することが可能となる。
【手続補正２６】
【補正対象書類名】明細書
【補正対象項目名】００９１
【補正方法】変更
【補正の内容】
【００９１】
本発明に係るデータ配信装置では、データの種別に応じて伝送容量を決定するテーブルを記憶する記憶手段を備えることにより、ユーザの要求するデータの種別に応じて伝送容量を決定して、ユーザの要求するデータを所定の品質で配信することが可能となる。
【手続補正２７】
【補正対象書類名】明細書
【補正対象項目名】００９２
【補正方法】変更
【補正の内容】
【００９２】
また、本発明に係るデータ配信装置では、上記配信するデータの種別をジャンルで示すことにより、ユーザ側の要求するデータをそのジャンルに基づいた所定の品質で配信することが可能となる。
【手続補正２８】
【補正対象書類名】明細書
【補正対象項目名】００９３
【補正方法】変更
【補正の内容】
【００９３】
本発明に係る端末装置では、情報センターに対して所望の圧縮データの要求指示を行う選択手段にて選択された所望の圧縮データに対応する要求信号を送信手段から送信し、上記情報センターから送信されてくる所望の圧縮データを受信する受信手段にて受信した圧縮データを伸張処理手段により上記情報センターでの圧縮方式に対応した形式で伸張処理することができる。
【手続補正２９】
【補正対象書類名】明細書
【補正対象項目名】００９４
【補正方法】変更
【補正の内容】
【００９４】
また、本発明に係る端末装置では、情報センターから送信される圧縮データの転送時間を設定する操作手段にて設定された転送時間に応じた圧縮データの要求信号を上記情報センターに送信することにより、情報センター側から返送されるデータの転送時間に関するユーザの要求を反映させることが可能となる。
【手続補正３０】
【補正対象書類名】明細書
【補正対象項目名】００９５
【補正方法】変更
【補正の内容】
【００９５】
本発明に係るデータ配信方法では、情報センターに対して所望の圧縮データの要求指示を行い、選択された所望の圧縮データに対応する要求信号を上記情報センターに対して送信し、端末装置側から送信されてくる上記要求信号に応じて上記情報センターから送信される圧縮データの伝送容量を可変させ、上記情報センターから送信されてくる伝送容量が可変された所望の圧縮データを上記端末装置側にて受信するので、サーバ側から返送されるデータの品質をユーザが選択し、再生することが可能となる。